(57)【特許請求の範囲】
【請求項１】
かご床に立設されるかご壁を有するエレベータかごの構造であって、
前記かご壁を構成する複数のかご壁板と、
前記かご床上に設けられ、前記かご壁板の下辺付近がかご内側より当接する壁取り付け枠を有し、
前記複数のかご壁板は、それぞれ
締結固定手段によって、下辺の一方の端付近にてのみ前記かご床に固定され、
左右の一方の辺に、この辺に沿って延設される差し込み溝と、
左右の他方の辺に、隣接する前記かご壁板に向けて突出して設けられ、隣接する前記かご壁板の差し込み溝に差し込まれる差し込み刃と、
を有し、
前記複数のかご壁板が前記締結固定手段によりかご床に固定される側の端は、各かご壁板において共通の側の端であり、
隣接する前記かご壁板どうしの直接の係合は、前記差し込み溝と前記差し込み刃の係合にのみよる、エレベータかごの構造。
【請求項２】
前記差し込み溝と前記差し込み刃の係合方向は、当該かご壁の壁面に沿った方向である、請求項１に記載のエレベータかごの構造。
【請求項３】
前記差し込み溝と前記差し込み刃の少なくとも一方の接触部分は、これらの接触を緩衝する緩衝材で構成される、請求項１または２に記載のエレベータかごの構造。
【発明の詳細な説明】
【０００１】
【発明の属する技術分野】
本発明は、エレベータの、人などが搭乗するかごの構造、特にかご壁を固定するための構造に関する。
【０００２】
【従来の技術】
エレベータのかごは、かご床と、このかご床上に立設され、人等が乗る空間すなわちかご室を囲うかご壁と、天井と、これらに囲まれたかご室に出入りするための扉を含む。
【０００３】
図７は、エレベータのかご１１０を上方より見た図であり、特にかご壁１１２を構成するかご壁板１１４の従来の固定構造にかかる概略図である。かご壁１１２は、かご床１１６上に立設され、また四方の内、一つの面の一部が開放されて形成され、開放部分の端部には、タテ柱１１８が設けられている。また、かご壁１１２の開放部分には、扉１１８が設けられている。かご壁板１１４の下辺両端は、かご床１１６にボルト１２０にて固定され、隣接するかご壁板１１４どうしは、図８に示すようにボルト１２２、ナット１２４および座金１２６を用いて結合されている。
【０００４】
【発明が解決しようとする課題】
前述のような、かご壁板１１４の固定構造においては、かご壁板１１４をかご床１１６または隣接するかご壁板１１４と締結するためのボルトなどは、かご室内側からでは締め付け作業を行えない位置に設けられていた。したがって、これらのボルト締め付け作業をかご室の外側から行わなければならず、このためエレベータの昇降路内に足場を組み、ここで作業を行わなければならなかった。また、ボルトの締め付け位置がかご壁板の上部、下部の広範囲に及び、作業姿勢が不安定なものとなる場合があった。
【０００５】
本発明は、前述の問題点を考慮してなされたものであり、かご壁を組み立てる際に、昇降路内に足場を組む必要がなく、また、作業姿勢が安定したものとなるかご壁の構造を提供することを目的とする。
【０００６】
【課題を解決するための手段】
前述の課題を解決するために、本発明にかかるエレベータのかごは、かご床上にかご壁板の下辺付近がかご内側より当接する壁取り付け枠と、かご壁を構成するかご壁板とを有している。特に、かご壁板は、締結固定手段によって、下辺の一方の端付近にてのみ前記かご床に固定され、また、左右の一方の辺に、この辺に沿って延設される差し込み溝と、さらに左右の他方の辺に、隣接する前記かご壁板に向けて突出して設けられ、その隣接する前記かご壁板の差し込み溝に差し込まれる差し込み刃とを含んでいる。かご壁板が、締結固定手段によってかご床に固定される側の端は、複数のかご壁板において共通する側の端である。
【０００７】
かご壁の組み立てにおいては、かご壁の一端から順番にかご壁板を固定していく。隣接するかご壁板どうしの係合は、一方のかご壁板の差し込み溝と他方のかご壁板の差し込み刃の係合によって達成される。作業者は、すでに固定されたかご板壁の差し込み溝または差し込み刃に対して、今回固定するかご板壁の差し込み刃または差し込み溝を係合する。かご床への固定は、かご壁板の下辺の一方の端にて、例えばボルトなどを用いて行う。ボルトを用いる場合、その位置としては、作業者がかご室側に位置し、そこから手が届く位置とすることが好適である。この作業を繰り返して、かご壁を形成する。作業は全て、かご室内側から可能であり、昇降路内の足場を用いる必要がなくなる。
【０００８】
差し込み刃と差し込み溝の係合方向は、かご壁面に沿う方向とすることが望ましい。これにより、隣接するかご壁板の面を容易に面一にすることができ、また左右方向の取り付け位置の調整が可能となる。
【０００９】
さらに、差し込み溝と差し込み刃の少なくとも一方の接触部分をこれらの接触を緩衝する緩衝材で構成することができる。これにより組み付け時およびエレベータの使用の際の接触音が低減される。
【００１０】
【発明の実施の形態】
以下、本発明の実施の形態（以下実施形態という）を、図面に従って説明する。図１は、本実施形態のエレベータかご１０の概略構成を示す水平断面図である。かご床１２には、断面略Ｌ字形の壁取り付け枠１４がボルト１６にて固定されている。かご壁１８は四方のうち一方が開放して形成され、この開放部には扉２０が設けられる。また、開放部の縁、すなわちかご壁１８の端には、タテ柱２２がボルト２４にてかご床２２に固定されている。
【００１１】
かご壁１８は、複数のかご壁板２６から構成され、かご室２８を画定している。かご壁板２６は、かご室２８に向いた意匠面と、この意匠面の縁に略直角に曲げられ、かご床１２、かご天井（不図示）または隣接するかご壁板２６との結合に用いられるフランジ部を有している。下辺のフランジ部３０の一端は、ボルト３２によってかご床１２に固定されている。かご室２８側から見て左辺のフランジ部３４は、鉛直方向に延びる差し込み溝３６を形成する受け部材３８を含む。右辺のフランジ部４０は、延長方向に延びる差し込み刃４２を含む。
【００１２】
図２〜図４は、かご壁板２６どうしの接合部分の詳細を示す図である。図２は、かご壁板２６どうしの接合状態を示す図であり、図３は接合面から見た左辺のフランジ部３４の詳細図、また図４は接合面から見た右辺のフランジ部４０の詳細図である。左辺のフランジ部３４は、かご壁板２６のかご室２８に面した意匠面４４から連続する一体部分４６と、前述の受け部材３８を含む。一体部分４６と受け部材３８は、平ビス４８、座金５０およびナット５２により締結されている。受け部材３８に形成される差し込み溝３６の内面には、ゴムなどの緩衝材５４がはり付けられている。この緩衝材５４は、差し込み溝３６内に差し込まれる差し込み刃４２と受け部材３８の間に介在し、これらの直接の接触を防止するようにしている。これにより、組み立て時および組み立て後において、かご壁板２６どうしの接触による音の発生を抑えることができる。また、緩衝材５４の弾性により、差し込み溝３６と差し込み刃４２をがたつくことなく係合することができる。また、受け部材３８は、壁取り付け枠１４に、緩衝材５６を介して当接している。これにより、組み立て時などに衝突による騒音が発生することが防止される。
【００１３】
右辺のフランジ部４０は、意匠面４４と平行に延び、前述の差し込み溝３６内に差し込まれる差し込み刃４２を含む。また、下辺のフランジ部３０の右端付近には、長穴５６が設けられ、ここにボルト３２のねじ部が挿入され、座金５８を介してかご壁板２６をかご床１２に固定している。
【００１４】
次に、かご壁の組み立て作業について説明する。まず、かご床１２に壁取り付け枠１４を固定する。図１に示すように本実施形態の壁取り付け枠１４は５本あるが、これを全て固定する。このときには、扉２０は取り付けられていない。次に、図５（ａ）に示すように、かご室２８内から見て右側のタテ柱２２−１をボルト２４−１にて固定する。図示するように、この作業は、かご床１２上にいる作業者がタテ柱２２−１の裏側に手を入れるようにして作業を行う。次に、タテ柱２２−１と、これに続くかご壁板２６−１とを係合させる。図５（ｂ）に示すように、タテ柱２２−１には、差し込み刃４２−０が設けられており、これをかご壁板２６−１に設けられた差し込み溝３６−０に差し込むようにして前記の係合が達成される。このかご壁板２６−１を下辺の右端付近でボルト３２−１にてかご床１２に固定する。この作業も図５（ｃ）に示すように、作業者はかご床１２上に位置して行う。次に、図６に示すように、かご壁板２６−１の差し込み刃４２−１に、次のかご壁板の差し込み溝３６−２を係合し、そしてボルトにてかご床１２に固定する。これを繰り返す。
【００１５】
最後のかご壁板２６−７を固定後、これに左側のタテ柱２２−２をかご床１２に固定する。この作業も、図５（ｄ）に示すように、作業者はかご床１２上に位置して行うことができる。その後、扉２０の取り付けを行う。
【００１６】
【発明の効果】
以上のように、かご壁の組み立て作業を、かご床上にて行うことができ、この作業のために昇降路内に足場を組む必要がなくなる。また、かご壁板の接合部分には緩衝材を用いているので、ガタをなくすことができ、これにより生じる騒音の発生を抑えることができる。
【図面の簡単な説明】
【図１】  本実施形態のエレベータかごの概略構成を示す図である。
【図２】  かご壁板の接合部を示す図である。
【図３】  かご壁板を、かご壁板どうしの接合面から見た図である。
【図４】  かご壁板を、かご壁板どうしの接合面から見た図である。
【図５】  かご壁の組み立てにかかる説明図である。
【図６】  かご壁板どうしの係合にかかる説明図である。
【図７】  従来のかご壁の構造を示す図である。
【図８】  従来のかご壁板の接合部を示す図である。
【符号の説明】
１０  エレベータかご、１２  かご床、１４  壁取り付け枠、１８  かご壁、２６  かご壁板、２８  かご室、３０  下辺のフランジ部、３４  左辺のフランジ部、３６  差し込み溝、４０  右辺のフランジ部、４２  差し込み刃、５４  緩衝材。
【図１】
0004180246.tif 000002
【図２】
0004180246.tif 000003
【図３】
0004180246.tif 000004
【図４】
0004180246.tif 000005
【図５】
0004180246.tif 000006
【図６】
0004180246.tif 000007
【図７】
0004180246.tif 000008
【図８】
0004180246.tif 000009